(57)【要約】熱伝導体フレーム組立品、レンズ部材（２２）及び剛性熱伝導ブレース部材（２７）を有する発光ダイオード（ＬＥＤ）組立品（２４）を有するトロファドア組立品であり、剛性のブレース部材（２７）は二つのフレーム部材（１１）に結合することで、二つのフレーム部材（１１）の剛性を増加し、さらに剛性のブレース部材（２７）からの熱が少なくとも二つのフレーム部材（１１）に伝達される。複数のヒンジ部材（３０）と複数のラッチ部材（４０）は、細長い外側スロット（１８）に沿って長手方向に移動されるような仕様にて保持されるように、フレーム部材（１１）の外側スロット（１８）に調整される。この方法により、前述されたトロファドア組立品を既に取り付けられたトロファ照明器具に置き換えることにより、既に取り付けられたトロファ照明器具は取り替えられる。
2015509656.tif 000002
【特許請求の範囲】
【請求項１】
熱伝導材料からなるフレーム部材（１１）を備える周辺フレーム組立品と、
周辺フレーム組立品内に保持されるレンズ部材（２２）と、
複数ＬＥＤｓ（２５）のアレイ及び、この複数ＬＥＤｓ（２５）によって発生される熱のためのヒートシンクとして機能するように、熱伝導材料からなる剛性のブレース部材（２７）とを備える発光ダイオード（ＬＥＤ）照明バー組立品（２４）とを備え、
剛性のブレース部材（２７）は、周辺フレーム組立品の剛性を増加するように、さらに複数ＬＥＤｓ（２５）によって発生される熱のためのヒートシンクとしても、周辺フレーム組立品が機能するように、剛性のブレース部材（２７）からの熱が周辺フレーム組立品に伝達されるように、少なくとも二つのフレーム部材（１１）に結合する、トロファドア組立品。
【請求項２】
剛性のブレース部材（２７）は取り付けブラケット（２８）を備え、この取り付けブラケット（２８）は少なくとも二つのフレーム部材（１１）に結合される請求項１記載のトロファドア組立品。
【請求項３】
熱伝導材料からなる取り付けブラケット（２８）をさらに備え、この取り付けブラケット（２８）は剛性のブレース部材（２７）及び少なくとも二つのフレーム部材（１１）に結合される請求項１記載のトロファドア組立品。
【請求項４】
少なくとも二つのフレーム部材（１１）に配置される細長い外側スロット（１８）と、
一つの細長い外側スロット（１８）に保持される少なくとも一つのヒンジ部材（３０）と他の細長い外側スロット（１８）に保持される少なくとも一つのラッチ部材（４０）とをさらに備え、
少なくとも一つのヒンジ部材（３０）及び少なくとも一つのラッチ部材（４０）が細長い外側スロット（１８）に沿って長手方向に移動されるような仕様にて保持される請求項１記載のトロファドア組立品。
【請求項５】
少なくとも二つのフレーム部材に配置される細長い内側スロットをさらに備え、
レンズ部材は細長い内側スロット内に位置決めされる複数の周辺端部を備える請求項１記載のトロファドア組立品。
【請求項６】
少なくとも二つのフレーム部材（１１）に配置される細長い内側スロット（１９）を備え、
レンズ部材（２２）は細長い内側スロット（１９）内に位置決めされる複数の周辺端部（２３）を備える請求項４記載のトロファドア組立品。
【請求項７】
少なくとも一つのヒンジ部材（３０）は、
取り付けプレート（３１）と、取り付けプレート（３１）から外側に延びる拡張部材（３２）と、細長い外側スロット（１８）内に延びる保持機構（３３）を備える請求項４記載のトロファドア組立品。
【請求項８】
少なくとも一つのラッチ部材（４０）は、
上側に延びるアーム部材（４１）を有する旋回する本体（４２）と、細長い外側スロット（１８）内に延びる保持機構（４４）とを備える請求項４記載のトロファドア組立品。
【請求項９】
少なくとも一つのラッチ部材（４０）は、
上側に延びるアーム部材（４１）を有する旋回する本体（４２）と、細長い外側スロット（１８）内に延びる保持機構（４４）とを備える請求項７記載のトロファドア組立品。
【請求項１０】
少なくとも二つのフレーム部材（１１）に配置される細長い内側スロット（１９）をさらに備え、
レンズ部材（２２）は細長い内側スロット（１９）内に位置決めされる複数の周辺端部（２３）を備える請求項４記載のトロファドア組立品。
【請求項１１】
複数の細長い内側スロット（１９）と複数の細長い外側スロット（１８）を有する細長い押し出し部材を含み、かつ熱伝達部材からなるフレーム部材（１１）を対向して有する、フレーム部材（１１）のセットを二つ備える周辺フレーム組立品と、
フレーム部材（１１）の複数の細長い内側スロット（１９）内に保持される複数の周辺端部（２３）を含むレンズ部材（２２）と、
複数ＬＥＤｓ（２５）のアレイ及び、この複数ＬＥＤｓ（２５）によって発生される熱のためのヒートシンクとして機能するように、熱伝導材料からなる剛性のブレース部材（２７）とを備える発光ダイオード（ＬＥＤ）照明バー組立品（２４）と、
一つの細長い外側スロット（１８）に保持される二つのヒンジ部材（３０）と他の細長い外側スロット（１８）に保持される二つのラッチ部材（４０）であり、細長い外側スロット（１８）に沿って長手方向に移動されるような仕様にて保持される二つのヒンジ部材（３０）及び二つのラッチ部材（４０）と、
を備え、
剛性のブレース部材（２７）は、周辺フレーム組立品の剛性を増加するように、さらに複数ＬＥＤｓ（２５）によって発生される熱のためのヒートシンクとしても、周辺フレーム組立品が機能するように、剛性のブレース部材（２７）からの熱が周辺フレーム組立体に伝達されるように、対向するフレーム部材（１１）のセットの内の少なくとも一つに結合する、トロファドア組立品。
【請求項１２】
トロファドア又はルーバ、導電線、ヒンジ受容スロット、ラッチ受容スロット、及び蛍光灯を備える、既に取り付けられたトロファ照明器具を取り替える方法であって、
トロファドア又はルーバを取り除くステップと、
蛍光灯を取り除くステップと、
導電線を切断するステップと、
複数の細長い内側スロット（１９）と複数の細長い外側スロット（１８）を有する細長い押し出し部材を含み、かつ熱伝達部材からなるフレーム部材（１１）を対向して有する、フレーム部材（１１）のセットを二つ備える周辺フレーム組立品と、フレーム部材（１１）の複数の細長い内側スロット（１９）内に保持される複数の周辺端部（２３）を含むレンズ部材（２２）と、複数ＬＥＤｓ（２５）のアレイ及び、この複数ＬＥＤｓ（２５）によって発生される熱のためのヒートシンクとして機能するように、熱伝導材料からなる剛性のブレース部材（２７）を備える発光ダイオード照明バー組立品（２４）と、一つの細長い外側スロット（１８）に保持される二つのヒンジ部材（３０）と他の細長い外側スロット（１８）に保持される二つのラッチ部材（４０）であり、細長い外側スロット（１８）に沿って長手方向に移動されるような仕様にて保持される二つのヒンジ部材（３０）及び二つのラッチ部材（４０）とを備え、剛性のブレース部材（２７）は、周辺フレーム組立品の剛性を増加するように、さらに複数ＬＥＤｓ（２５）によって発生される熱のためのヒートシンクとしても、周辺フレーム組立品が機能するように、剛性のブレース部材（２７）からの熱が周辺フレーム組立体に伝達されるように、対向するフレーム部材（１１）のセットの内の少なくとも一つに結合するトロファドア組立品を提供するステップと、
二つのヒンジ部材（３０）及び二つのラッチ部材（４０）をヒンジ受容スロット及びラッチ受容スロットに対応するように長手方向に位置決めするステップと、さらに二つのヒンジ部材（３０）をヒンジ受容スロットに挿入するステップと、
導電線をＬＥＤ照明ボックス組立品に接続するステップと、
二つのラッチ部材（４０）をラッチ受容スロットに挿入するためにトロファドア組立品を旋回するステップと
を備える前記トロファ照明器具を取り替える方法。
【発明の詳細な説明】
【技術分野】
【０００１】
本発明は、全般的にはトロファ（troffer）照明器具（light fixtures）に関し、より詳細には取り外し可能なヒンジ式ドア又は取り外し可能なヒンジ式ルーバ（louver）に関し、さらに詳細にはトロファ照明器具を取り替えるための取り替え用ドア又はルーバに関する。ここで、トロファ照明器具には、ドア及びルーバが既に取付けられている。
【背景技術】
【０００２】
トロファ照明器具は、全体的に矩形又は四角形のトレイ状のハウジングであり、上面本体壁及び４つの側壁を備え、床に向かって開放するように上下逆さに天井内に又は天井に取り付けられる。電気部品、バラスト、ハードウェア及びその他の部品は上面本体壁及び／又は４つの側壁に付加される。これらの部品は、光を作り出す素子、典型的には一つ以上の細長又はＵ形状の管状蛍光灯を動作させる。取り外し可能なパネル部材は、拡散レンズ又はルーバのいずれかを備え、さらにヒンジ及びラッチ部材によるトロファハウジングによって保持される。ここで、パネル部材は、必要な時に、蛍光灯及び他の電気部品の取り替えをさせるために取り外し可能である。パネル部材は、フラット、湾曲され、角度付けられ、部分的にされるなどの多数の構造を有してもよい。いくつかのトロファにあって、取り外し可能なパネル部材は、さらにヒンジ部材及びラッチ部材を伴った相対的に剛性の周辺フレームを備える。ヒンジ部材及びラッチ部材は、トロファハウジング組立品における短いスロット又は開口部によって受容される。このような構造を伴い、トロファドア組立品又はルーバは、ヒンジ部材から外され、さらにヒンジ部材に開放的に旋回される。ヒンジ部材は、ドアパネル又はルーバの全体が取り外しされるようにトロファハウジング組立品から切り離されることもある。
【０００３】
複数の発光ダイオード（ＬＥＤｓ）は、動作するのに高価ではなく、白熱球及び蛍光灯より大幅に長い寿命を有するように開発され、さらに複数のＬＥＤｓのアレイに組み合わされたとき、トロファ組立品における管状蛍光灯の非常に優れた取り替え品となることが分かった。比較的に剛性の支持構造に取り付けられる複数ＬＥＤｓのアレイは、ＬＥＤ照明バー（light bar）としばしば呼ばれる。複数ＬＥＤｓは、ドライバとして一般的に周知の電力供給部によって給電される。ドライバ及びＬＥＤ照明バーは、ＬＥＤシステムに集積され、さらに電気部品、バラスト、ハードウェア及び蛍光灯構造に用いられている他の部品を代替する。ＬＥＤシステムは、動作の間に、かなりの熱を発生するので、ＬＥＤシステムのサポートシステムは、熱がＬＥＤシステムから遠くに伝達されるように、通常、ヒートシンク及び／又は放射部材として機能するように構成される。
【０００４】
トロファ照明器具に取り付けられる蛍光灯ランプ及びそれに関連する電気部品の多くを一つ以上のＬＥＤ照明バーに取り替えるための現在の方法は、十分な余地、クリアランス及び露出されるＬＥＤ照明バーの取付け用の表面を確保できるように、重要でない電気部品、バラスト及びトロファハウジング内に取り付けられているハードウェアを取り外すことと、その後、ＬＥＤ照明バー又はパネルを、トロファハウジングの内部本体壁又は上面壁／側壁に、機械的な留め具を用いて取付けることを含む。この方法は、時間を浪費し、かつ高価な処理である。
【０００５】
本発明の方法は、新規なトロファドア組立品を提供することによってトロファ照明器具を取り替える方法を向上することであり、ＬＥＤ照明バーからフレームに熱を伝導させる仕様にて、一つ以上のＬＥＤ照明バーが直接的に、周辺フレームに取り付けられることを特徴とする。周辺フレームは、それによって、照明バー支持構造に加えてヒートシンクとしての機能を果たす。さらに、ＬＥＤ照明バーは、増加された構造の統合をトロファドア組立品に提供する仕様にて周辺フレームに剛性的に結合される。他の目的は、取り替え処理の間、当技術分野にて直面するラッチ及びヒンジ開口部の種類及び位置に対応する条件にて調整されるフレームに沿った位置決めを可能とする仕様にて、周辺フレームにラッチ部材及びヒンジ部材を受容するための細長い外側スロットが形成される、トロファドア組立品を提供することである。さらに、パネル部材の周辺エッジの全て又はいくつかを受容するために適用される細長い内側スロットを有する取り替え用ドア組立品を提供することである。これらの目的は、ここでは記載されていない他の目的と同様に、以下の発明の詳細な説明によって理解される。
【発明の概要】
【０００６】
発光ダイオード照明バー付きトロファドア組立品は、取り付けられたトロファ照明器具との組み合わせに適用され、トロファ照明器具はオリジナルパネル、ルーバ又はドア部材を除去すること、及び本明細書にて説明されるトロファドアに置き換えられることによって取り替えられる。トロファドア組立品は、矩形又は四角形構造を形成するために、結合部材によって一体とされる個々のフレーム部材を含む周辺フレーム組立品と、周辺フレーム組立品内に位置決めされるパネル部材、及び複数ＬＥＤｓのアレイを含む一つ以上のＬＥＤ照明バー及びバッキング部材（backing member）及び剛性のブレース（brace）に配置されるドライバを備える。バッキング部材は、細長、四角、円形又は他の構造を有し、さらに剛性のブレース部材は、細長の線形部材であるか、又はバッキング部材の構造にマッチして構成される。ブレースは高い熱伝導性を持つ材料を含み、全ての場合にあって、ヒートシンク及び／又はＬＥＤシステムによって発生される熱の分散部として作用する。単一のＬＥＤ照明バー又は複数のＬＥＤ照明バーのブレース部材は、フレーム組立品の構造の剛性を高めるために対向するフレーム部材に剛性的に取り付けられ、さらにフレー部組立品は、ヒートシンク及び／又は熱の分散部として機能もする。ここで、フレーム部材は、高い熱伝導性を持つ材料を備える。複数のＬＥＤ照明バーは単一ドアフレーム組立品内にて、平行又は交差する仕様にて用いられる。
【０００７】
好ましい実施形態にあって、トロファドア組立品のフレーム部材には、外側に細長スロットが設けられ、トロファドア組立品を取り付けられたトロファ照明器具のハウジングに固定するためのヒンジ部材及びラッチ部材がフレーム部材に対して移動可能にかつトロファハウジングに存在するヒンジ及びラッチを受け入れるヒンジ及びラッチの配置場所に対応する適切な配置場所に調整される。さらに、細長スロットは、フレーム部材の内部側に存在し、パネル部材の周辺エッジは、内部のスロットに位置決めされる。
【０００８】
この構造により、トロファドア組立品は、増強された剛性及び向上された熱除去機能性を提供し、さらに不必要な電気部品、バラスト及びハードウェアの除去を不要として、従来の非−ＬＥＤトロファ照明器具からのＬＥＤトロファ照明器具の創造を許容する。要求されることの全ては、元のトロファパネル、ルーバ又はドアの除去、既存の蛍光灯の除去、トロファハウジング上の受容スロットの配置場所に対応するためのフレーム組立品上のヒンジ及びラッチ部材の配置場所の調整、導線の接続、及びヒンジ及びラッチ部材によるトロファドア組立品の閉鎖及び確保なので、取り替えプロセスは比較的に短い時間フレームにて行われる。
【図面の簡単な説明】
【０００９】
【図１】例えばフラットパネル部材及び単一のＬＥＤ照明バーを示している、取り外し可能なトロファドア組立品の実施形態の斜視図である。
【図２】ヒンジ部材の実施形態を示す部分的な斜視図である。
【図３】ラッチ部材の実施形態を示す部分的な斜視図である。
【図４】フレーム部材によって受容されるレンズ部材の実施例及びフレーム部材に取り付けられたＬＥＤ照明バーの実施例を示す部分断面図である。
【図５】ＬＥＤ照明バーの他の実施形態の部分的な端面図である。
【発明を実施するための形態】
【００１０】
図面を参照すると、発光ダイオード（ＬＥＤ）照明バー付のトロファドア組立品が、好ましい実施形態についての詳細な説明に例示されている。広義では、トロファドア組立品は、既に取り付けられているいくつかのトロファ照明器具のパネル、ルーバ又はドアを交換するための取り替えデバイスであり、好ましい実施形態にあって、ラッチ及びヒンジ部材の配置場所が取り付けられたトロファハウジングのラッチ及びヒンジ受容スロットの配置場所に対応して変えられるように、ラッチ及びヒンジ部材に調整可能な位置を提供する。
【００１１】
典型的なトロファ照明器具は、上面本体部材及び短く垂れ下がる側壁を有する、浅く、矩形又は四角形の桶又はトレイ状のハウジングを有する。電気部品、バラスト及び細長いランプ部材、典型的には線形の蛍光管を保持しかつ動作するためのハードウェアは、トロファハウジングの上面本体又は側壁に取り付けられる。電気導線は、トロファハウジングを通って電力源につながる。トロファハウジングは、矩形又は四角形の開口部及びレンズパネル組立品、ルーバ組立品又はドア組立品（本明細書ではまとめてドア組立品という）が接続される受容フレームを画定する。トロファドア組立品のために、複数のラッチ及びヒンジが周辺フレームに取り付けられ、さらにトロファ受容フレームには、複数のラッチ及びヒンジを受容するための対応するスロットが設けられる。通常、トロファドア組立品は、トロファハウジングから完全に取り外しされてもよい。
【００１２】
図１を参照すると、本発明のトロファドア組立品は、矩形又は四角形の構造を形成するために、結合部材１２によって一体にされた複数のフレーム部材１１の組み合わせを備える周辺フレーム組立品を含む。トロファドア組立品は、さらに、光がレンズ部材２２を透過して下方の部屋に届くような透明、半透明又は開口部である、レンズ部材２２として集合的に言及される、パネル部材又はルーバを備える。レンズ部材２２は、典型的には、重量を最小化するためにアクリル又はポリカーボネィトによってなり、さらに、フレーム組立品に水平に配置されると、平坦な構造からわずかに曲がる薄い部材である。レンズ部材２２は、図面に示されるようにフラットであってもよいし、湾曲、角度が付らえても、エッジでも壁などにでも、実装されたときにより満足する外観を示すように形成されてもよい。
【００１３】
トロファドア組立品はさらに少なくとも一つのＬＥＤ照明バー組立品２４を備える。ＬＥＤ照明バー組立品２４は、ドライバと複数ＬＥＤｓ２５のアレイとを備える。複数ＬＥＤｓ２５のアレイは、バッキング部材（backing member）２６上に、複数ＬＥＤｓ２５の機能を提供するための周知の仕様にて配置される。複数ＬＥＤｓ２５は、例えば図５に示されるように、様々な配置にてバッキング部材２６上に位置決めされる。ＬＥＤ照明バー組立品２４は、さらに剛性のブレース部材（brace member）２７を備え、このブレース部材２７は、バッキング部材２６に剛性を与えさらにドライバを覆う。ブレース部材２７は、高い熱伝導性質又は特徴（これより、その用語は通常の平易な意味である「熱伝導材料」として言及される、反義語は「高い断熱材料」であり、当業者であれば理解される）であり、例えばアルミニウム金属であり、複数ＬＥＤｓによって作られる熱を除去及び分散するために、ブレース部材２７はヒートシンク及び／又は熱分散器（これより、「ヒートシンク」としてまとめて参照する）として機能する。ブレース部材２７は、熱を放射するために、図１に示すように、細長いフィン又はうね（ridges）として提供される。うねは、ＬＥＤ照明バー組立品２４の重量を全体的に低減する一方で、ブレース部材２７の硬さ（剛性）を増加する役割も果たす。重い組立品がトロファハウジング又は天井における他の構造部材に結合される安全なチェーン（chains）の使用を要求してしまうので、トロファドア組立品の全体の重量を低減することは大切である。電気導線５１がＬＥＤ照明バー組立品を電力源に結合するために提供される。
【００１４】
ＬＥＤ照明バー組立品２４、より詳細には、ブレース部材２７は、フレーム部材１１の対向側に剛性の取り付けブラケット２８と機械的な留め具２９により固定的に取り付けられる。ＬＥＤ照明バー組立品２４の構造的な剛性は、フレーム組立品に適用され、それによってフレーム組立品の全体的な剛性が増加される。単一又は複数ＬＥＤ照明バー組立品２４がトロファドア組立品に存在してもよいし、さらに一つ又は複数のブレース部材２７が長手方向又は横断方向に拡張してもよい。一実施形態にあって、複数のＬＥＤ照明バー組立品２４の複数のバッキング部材２６及びブレース部材２７が細長及び線形であってよく、他の実施形態にあっては、複数のバッキング部材２６が四角、円形または、線形のブレース部材２７と一緒の他の構造でもよいし、さらに他の実施形態にあっては、バッキング部材２６及びブレース部材２７は整合する構造でもよい。
【００１５】
取り付けブラケット２８は、フレーム部材１１のような熱伝導部材で形成され、熱がブレース部材２７からフレーム部材１１に遷移されるように、アルミニウム金属である。この仕様にあって、周辺フレーム組立品は、ＬＥＤ照明バー組立品２４用のヒートシンクとしての機能も果たす。取り付けブラケット２８は、ブレース部材２７の複数端部に結合される分離の部材であってもよいし、又はブレース部材２７の複数端部は取り付けフランジ又はブラケット２８を画定する本体から短い距離延びて形成されもてよい。好ましくは、各取り付けブラケット２８には、例えば、上部面１５に配置されるネジ穴内に位置決めされるネジの付けられた部材のような、機械的な留め具２９を用いるフレーム部材１１の上面１５に結合するように、横に拡張するフランジ部材が提供される。代替的に、取り付けブラケット２８は、溶接、機械的な連結又は他の同様な機構によって対向するフレーム部材１１に硬く取り付けられてもよい。
【００１６】
細長い内側スロット１９がフレーム部材１１の内面に配置される。フレーム部材１１には、好ましくは押し出し部材として製造される、フレーム部材１１の剛性を維持するための、内部構造部材１７が提供される。複数の内側スロット１９は、レンズ部材２２がフレーム部材１１に支持されるように、レンズ部材２２の周辺端部を受容するために適用される。内側スロット１９が設けられる全てのフレームについて、レンズ部材２２の４つの周辺エッジ２３の全ては、内側スロット１９に受け入れられ、かつ支持されるので、レンズ部材２２を保持しかつ支持するための他のハードウェアは不要である。
【００１７】
より好ましい実施形態にあって、フレーム部材１１のそれぞれには、外側面１４に配置される細長い外側スロット１８が提供される。フレーム部材１１の露出される底面１３は、より好ましい外観を示すために望ましくはスロットを持たない。複数の外側スロット１８は、ラッチ部材４０及びヒンジ部材３０が、存在するトロファハウジングの受容スロット１８と適切に連携するために、フレーム部材１１の外側スロット１８に長手方向に沿って調整されるか、又は再位置決めされて、フレーム組立品の一方側への一つ以上のラッチ部材４０の保持のために用いられ、かつフレーム組立品の他方側への一つ以上のヒンジ部材３０の保持のために用いられる。
【００１８】
図２に示されるように、ヒンジ部材３０の実施形態は、取り付けプレート３１にて外側に延びる拡張部材３２を備える。拡張部材３２は、トロファドア組立品がトロファハウジングに対して開放と閉鎖位置の間を旋回されるように、トロファハウジングによって受容されて構成される。取り付けプレート３１には、ヒンジ部材３０を外側スロット１８の両方向に移動させながらも、フレーム部材１１上の取り付けプレート３１を保持する機能を果たす、外側スロット１８内に延びる保持機構３３が設けられる。図示の保持機構３３は、リベット又はネジ付ボルトのような、取り付けプレート３１における穴を通して延び、かつ一つ以上の、ナット又はプレートのような、フレーム部材１１からヒンジ部材３０が外側に離脱するのを妨げるために十分なサイズの、内部バッキング部材３５に結合する、一つ以上の留め具３４を備える。ヒンジ部材３０は、フレーム部材１１を周辺フレーム組立品に組み立てるよりも前に、外側スロット１８の中にスライディングさせることによって、フレーム１１に容易に組み合わせられる。
【００１９】
図３に示されるように、ラッチ部材４０の実施形態は、上側に延びるアーム又はフック部材４１及び外側に向けられるアクチュエーティングタブ部材４３を有する旋回する本体４２を有する。ラッチ保持（latch retention）機構４４は、ラッチ部材４０が、既存のトロファハウジングにおけるラッチ受容スロットに一致するためにフレーム部材１１に沿って調節されるか、又は再位置決めされるように、ラッチ部材４０をフレーム部材１１の外側スロット１８内に保持するように設けられる。ラッチ保持機構４４は、本体４２におけるアパーチャを通して延び、かつ一つ以上の内部バッキング部材４６に結合する、ナット又はプレートのような、フレーム部材１１からラッチ部材４０が外側に離脱するのを妨げるために十分なサイズの、一つ以上の留め具４５を備える。ラッチ部材４０は、フレーム部材１１を周辺フレーム組立品に組み立てるよりも前に、外側スロット１８の中にスライディングさせることによって、フレーム１１に容易に組み合わせられる。ラッチ部材４０及びヒンジ部材３０両方の他の構成が可能である。
【００２０】
蛍光灯器具に代えてＬＥＤ照明器具を新しく作るために取り付けられたトロファ照明器具を取り替えるため、取り付けられたトロファドア又はルーバがトロファハウジングから取り外され、電気部品及び蛍光灯が取り外され、さらに引き込み電気導線が切断される。トロファドア組立品のヒンジ部材３０及びラッチ部材４０は、取り付けられたトロファハウジングにおける複数のヒンジ受容スロット及びラッチ受容スロットの配置に対応するため、フレーム部材１１に沿ってその後再位置決めされる。ヒンジ部材３０は、その後、取り付けられたトロファハウジングのヒンジ受容スロットに挿入され、さらに電気導線５１が既存のトロファハウジング電気導線に結合される。トロファドア組立品がその後、ラッチ部材４０によって、閉鎖位置に旋回され、さらにトロファハウジングに固定される。オリジナルのトロファ照明器具は、蛍光灯を除いてどんな内部部品の除去も不要とし、さらに、経験を積んだ電気工事従事者を不要として、ＬＥＤ照明器具に交換された。
【００２１】
当業者によれば、前述された任意のエレメントの等価物及び代替物が明らかにされるので、本発明の真の範囲及び定義は後述の特許請求の範囲によって意図される。
【図１】
2015509656.tif 000003
【図２】
2015509656.tif 000004
【図３】
2015509656.tif 000005
【図４】
2015509656.tif 000006
【図５】
2015509656.tif 000007
【国際調査報告】
2015509656.tif 000008